(57)【要約】【課題】ショーケースの上部前面に構築したキャノピー部について、部品点数，組立工数を削減してコスト低減化が図れるように組立構造を改良する。【解決手段】ケース本体１の前面上部に構築した蛍光灯付きのキャノピー部５が、蛍光灯９を支持するライトレール７，蛍光灯の前方を覆ってキャノピー部の前面に縦向き姿勢に布設した電照板１０，および電照板の下縁を背後から支える左右の吊り金具１３を装備したものにおいて、樹脂成形品で作られた電照板の下縁側に、背後に突き出すフック部１０ａを電照板と一体に押出し成形して吊り金具の先端フック部１３ａに直接掛合し、さらに電照板の固定手段として樹脂製のピン形クリップ１５を用い、該クリップを吊り金具に形成したピン穴１３ｂに圧挿して電照板のフック部を掛合位置に押付けて固定する。【選択図】      図１
2004267576.tif 000002
【特許請求の範囲】
【請求項１】
ケース本体の前面上部に蛍光灯付きのキャノピー部を構築したショーケースであって、前記キャノピー部に、蛍光灯を支持するライトレール，蛍光灯の前方を覆ってキャノピー部の前面に布設した電照板，および電照板を背後から支持する吊り金具を装備したものにおいて、
樹脂成形品になる電照板と一体に、その下縁から背後に突き出すフック部を押出し成形し、該フック部を前記吊り金具の先端フック部に直接掛合したことを特徴とするショーケース。
【請求項２】
請求項１に記載のショーケースにおいて、吊り金具に掛合した電照板の固定手段として樹脂製のピン形クリップを用い、該クリップを吊り金具に形成したピン穴に圧挿して電照板のフック部を掛合位置に押付け支持するようにしたことを特徴とするショーケース。
【発明の詳細な説明】
【０００１】
【発明の属する技術分野】
本発明は多段形オープンショーケースなどを対象とするショーケースに関し、詳しくはケース本体の上部前面に構築したキャノピー部の組立構造に係わる。
【０００２】
【従来の技術】
まず、頭記した多段形オープンショーケースの構成、およびそのケース本体に構築したキャノピー部の従来構造を図３〜図５に示す。図３はオープンショーケースの全体図であり、１は前面開放形の断熱筐体になるケース本体、２はケース本体１の庫内に上下段に並べて設けた商品陳列棚、３はケース本体１の冷気循環ダクトに配した冷却器（冷凍機のエバポレータ）、４は送風ファンであり、ケース本体１の上部前面には前方に向け庇状に突き出した蛍光灯付きのキャノピー部（天蓋）５を構成している（例えば、特許文献１参照。）。
【０００３】
次に、前記キャノピー部５の従来例として、特許文献１に開示されているキャノピー部の組立構造を図４，図５に示す。すなわち、キャノピー部５には、ケース本体１の前面にリブ状の取付板６を介して後傾姿勢に組付けた長尺なライトレール７と、ライトレール７の下面にホルダ８を介して取付けた蛍光灯９と、蛍光灯９の前方を覆ってキャノピー部の前面に縦向きに布設した電照板１０を装備している。
ここで、電照板１０は透光性樹脂で作られた長尺板であり、前記ライトレール７の上縁部７ａとキャノピー部５の天井，前面に被せたフロントパネル１１の下縁部１１ａとの間の隙間に上縁を差込み、下縁側は次記のようにフック兼用のモール１２を介して吊り金具１３で担持するようにしている。
【０００４】
すなわち、電照板１０の下縁には、その長手方向に沿って断面Ｓ字形のモール（アルミ材の押出成形品）１２を嵌め込んで接着剤により接合しておく。一方，電照板１０の背後側には上端をライトレール１３に固定した左右一対の吊り金具１３を設け、この吊り金具の間に跨がってその先端に折り返し形成したフック部１３ａに前記モール１２を掛合して電照板１０を縦向き姿勢に担持し、さらに背後側から吊り金具１３の下端部に化粧ビス１４をねじ込み、そのねじ軸でモール１２を吊り金具のフック部１３ａに押さえ込んで電照板１０が外れないように固定している。
【０００５】
【特許文献１】
特開平１１−２９０１６５号公報
【０００６】
【発明が解決しようとする課題】
ところで、図４に示したキャノピー部５の従来構造では、電照板１０の下端側を掛合支持する手段として、電照板１０とは別部品のフック兼用モール１２，および化粧ビス１４を用いて吊り金具１３に掛合支持するようにしており、このために組立部品の点数，組立工数が増して製作コストが嵩む問題があった。また、ショーケースのロケーション先で実施する清掃などのメンテナンス作業で、電照板１０をキャノピー部５から着脱する場合には、化粧ビス１４をねじ操作する必要があって作業に手間が掛かる。
【０００７】
本発明は上記の点に鑑みなされたものであり、その目的は前記課題を解決し、部品点数，組立工数を削減して製作コストの低減化が図れ、併せて据付け先現地でのメンテナンスで電照板を着脱する作業が楽に行えるようにキャノピー部の組立構造を改良したショーケースを提供することにある。
【０００８】
【課題を解決するための手段】
上記目的を達成するために、本発明によれば、ケース本体の前面上部に蛍光灯付きのキャノピー部を構築したショーケースであって、前記キャノピー部に、蛍光灯を支持するライトレール，蛍光灯の前方を覆ってキャノピー部の前面に布設した電照板，および電照板を背後から支持する左右の吊り金具を装備したものにおいて、
樹脂成形品になる前記電照板と一体に、その下縁から背後に突き出したフック部を押出し成形しておき、組立工程では前記フック部を前記吊り金具の先端フック部に掛合して電照板を支持するように構成し（請求項１）、従来の組立構造で用いていたアルミ製のモールを省略して部品点数，組立工数を削減する。
【０００９】
また、電照板が吊り金具から外れないように固定する手段として、本発明では従来の化粧ビスの代わりに樹脂製のピン形クリップを用い、該クリップを吊り金具に形成したピン穴に圧挿して電照板のフック部を掛合位置に押付け保持するようにする（請求項２）。この樹脂製のピン形クリップは化粧ビスに比べて安価に市場から入手でき、また作業面でもクリップをピン穴に押し込むだけの簡単なワンタッチ操作で装着でき、従来の化粧ビスのようにねじ込み操作が必要なくて作業能率も改善される。
【００１０】
【発明の実施の形態】
以下、本発明の実施の形態を図１，図２に示す実施例に基づいて説明する。なお、実施例の図中で図４，図５に対応する部材には同じ符号を付してその説明は省略する。
すなわち、図示実施例における電照板１０には、その長手方向に沿って下縁から背後へ突き出すようにフック部１０ａが電照板１０と一体に押出し成形されている。そして、キャノピー部５の組立工程で、電照板１０の下端を吊り金具１３に掛合支持させる際には、図４，図５の従来構造で採用していたモール１２を省略し、電照板１０に一体成形したフック部１０ａを直接吊り金具１３の先端フック部１３ａに掛合して所定の組立位置に支持させる。
【００１１】
また、吊り金具１３に掛合した電照板１０が外れないように固定する手段として、図示実施例ではロックピンとして広く使われている樹脂製のピン形クリップ１５を用意する。そして、吊り金具１３のフック部１３ａに電照板１０のフック部１０ａを掛合した組立状態で、クリップ１５を吊り金具１３の下部に穿孔したピン穴１３ｂに背後側から圧挿し、その先端部で前記フック部１０ａを上から掛合位置に押さえ込んで固定する。なお、クリップ１５の圧挿は簡単なワンタッチ操作で行える。また、電照板１０をキャノピー部５から取り外す場合には、クリップ１５を専用のプライヤー工具を用いることで簡単に引き抜いて電照板１０を取り外せる。
【００１２】
【発明の効果】
以上述べたように本発明によれば、ケース本体の前面上部に蛍光灯付きのキャノピー部を構築したショーケースで、キャノピー部に蛍光灯を支持するライトレール，蛍光灯の前方を覆ってキャノピー部の前面に布設した電照板，および電照板を背後から支持する左右一対の吊り金具を装備したものにおいて、
樹脂成形品になる前記電照板と一体に、その下縁から背後に突き出したフック部を押出し成形して前記フック部を前記吊り金具の先端フック部に掛合して電照板を支持するようにし、さらに電照板が吊り金具から外れないように固定する手段として樹脂製のピン形クリップを用い、該クリップを吊り金具に形成したピン穴に圧挿して電照板のフック部を掛合位置に押付け保持するよう構成したことにより、従来のように、電照板の下縁側に別部品のフック兼用モールを接着剤で接合し、さらに化粧ビスを用いて電照板を固定するようにした組立構造と比べて、部品点数，組立工数を削減でき、併せてショーケースの設置先で行う電照板の着脱が簡単に行えるなど、製作コストの低減化，並びにメンテナンス作業性の向上が図れる。
【図面の簡単な説明】
【図１】本発明の実施例によるショーケースのキャノピー部の組立構造を表す側視断面図
【図２】図１における電照板および吊り金具の分解斜視図
【図３】多段式オープンショーケースの全体構成図
【図４】図３におけるキャノピー部の従来構造を表す側視断面図
【図５】図４における電照板および吊り金具の分解斜視図
【符号の説明】
１    ケース本体
５    キャノピー部
７    ライトレール
９    蛍光灯
１０    電照板
１０ａ  フック部
１３    吊り金具
１３ａ  フック部
１３ｂ  ピン穴
１５    クリップ
【図１】
2004267576.tif 000003
【図２】
2004267576.tif 000004
【図３】
2004267576.tif 000005
【図４】
2004267576.tif 000006
【図５】
2004267576.tif 000007